【手続補正書】
【提出日】平成19年12月6日(2007.12.6)
【手続補正１】
【補正対象書類名】特許請求の範囲
【補正対象項目名】全文
【補正方法】変更
【補正の内容】
【特許請求の範囲】
【請求項１】
施設内において屋内無線ネットワークを利用して継続的に複数の移動物体の追跡情報を送受信する方法であって、
継続的および周期的に各移動物体の位置標定情報信号を送信するステップを含んでおり、当該位置標定情報信号は各移動物体に取り付けられたタグから送信されるものであり、当該タグは第１の通信フォーマットにて低電力で位置標定情報信号を送信するものであり、本方法はさらに、
屋内無線ネットワークを形成するために前記施設内で複数の固定装置を複数のコンセントに取り付けるステップを含んでおり、各固定装置は、
収容体と、
該収容体内に収容されたプロセッサと、
コンセントの１つの受領部と物理的および電気的に接続し、該収容体から外側に延び出るプラグと、
該収容体内に収容され、前記プロセッサと通信状態にあるレシーバと、
該収容体内に収容され、前記プロセッサと通信状態にあるトランスミッタと、
該収容体内に収容され、前記プラグから第１の電力フォーマットにて電力を受信し、前記トランスミッタおよびレシーバに第２の電力フォーマットにて電力を送信することができる電力コンバータと、
を含んでおり、本方法はさらに、
継続的および周期的に前記複数の移動物体から第１無線リンクを介し、前記第１の通信フォーマットにて前記複数の固定装置で位置標定情報信号を受信するステップと、
前記複数の固定装置から第２無線リンクを介し、第２の通信フォーマットにて高電力で遠隔位置標定エンジンに前記位置標定情報信号を送信するステップと、
を含んでおり、当該第２の通信フォーマットの高電力は前記第１の通信フォーマットの前記低電力よりも高いことを特徴とする方法。
【請求項２】
施設内において、該施設内に設立された屋内無線ネットワークを利用して継続的に複数の移動物体の追跡情報を送受信する固定ネットワーク装置であって、
収容体と、
該収容体内に収容されたプロセッサと、
複数の無線地域ネットワークインターフェースと、
を含んでおり、各無線地域ネットワークインターフェースは、前記プロセッサと通信状態にて前記収容体内に収容されており、通信フォーマットに従って物体追跡情報を送受信する少なくとも１つのレシーバを含んでおり、本固定ネットワーク装置はさらに、
前記施設のコンセントの受領部と物理的および電気的に接続し、前記収容体から外側に延び出るプラグと、
異なる通信フォーマット間でデータを架橋する手段と、
を含んでおり、当該データは本固定ネットワーク装置で受信され、各移動物体に取り付けられたＲＦＩＤタグから第１の通信フォーマットにて継続的および周期的に送信される物体追跡情報を含んでおり、当該該データは第２の通信フォーマットにて本固定ネットワーク装置から位置標定エンジンへと継続的および周期的に送信されることを特徴とする装置。
【請求項３】
施設内において、該施設内のメッシュネットワークを利用して複数の移動物体の追跡情報を送受信する固定ネットワーク装置であって、
収容体と、
複数の無線地域ネットワークインターフェースと、
を含んでおり、各無線地域ネットワークインターフェースは、前記収容体内に収容されており、通信フォーマットに従って物体追跡情報信号を送受信する少なくとも１つのレシーバを含んでおり、本固定ネットワーク装置はさらに、
前記施設のコンセントの受領部と物理的および電気的に接続し、前記収容体から外側に延び出るプラグと、
前記収容体内に収容されており、前記プラグから第１の電力フォーマットにて電力を受信し、第２の電力フォーマットにて前記レシーバに電力を送信する電力コンバータと、
各移動物体と関連するＲＦＩＤタグからそれぞれ送信される複数の継続的および周期的な信号を処理する手段を含むプロセッサと、
を含んでおり、当該複数の継続的および周期的な信号は、第１通信フォーマットに従って前記複数の無線地域ネットワークインターフェースの１つで受信されて各移動物体の位置標定情報を発生させ、本固定ネットワーク装置はさらに、
前記収容体内に収容され、前記ＲＦＩＤタグの前記位置標定情報を保存する手段と、
第２の通信フォーマットに従って遠隔装置に送信するために各移動物体の位置標定情報を前記複数の無線地域ネットワークインターフェースの少なくとも１つに送信する手段と、
を含んでおり、前記第２の通信フォーマットは前記第１の通信フォーマットよりも高い電力で通信されることを特徴とする装置。
【請求項４】
施設内において、施設内のネットワークを利用して複数の移動物体の追跡情報を送受信する方法であって、
継続的および周期的に各移動物体の位置標定情報信号を送信するステップを含んでおり、当該位置標定情報信号は各移動物体に取り付けられたＲＦＩＤタグから送信されるものであり、当該ＲＦＩＤタグは第１の通信フォーマットにて低電力で前記位置標定情報信号を送信するものであり、本方法はさらに、
ネットワークを形成するために複数の固定装置を前記施設内の複数のコンセントに取り付けるステップを含んでおり、各コンセントは受領部を含んでおり、各固定装置は、
収容体と、
該収容体内に収容されたプロセッサと、
複数の無線地域ネットワークインターフェースと、
を含んでおり、各無線地域ネットワークインターフェースは、前記プロセッサと通信状態にて前記収容体内に収容されており、通信フォーマットに従って物体追跡情報信号を送受信する少なくとも１つのレシーバを含んでおり、本固定装置はさらに、
前記施設のコンセントの受領部と物理的および電気的に接続し、前記収容体から外側に延び出るプラグと、
当該プラグから第１の電力フォーマットにて電力を受信し、当該電力を前記第１の電力フォーマットから第２の電力フォーマットに変換する電力コンバータと、
を含んでおり、本方法はさらに、
前記第１の通信フォーマットにて前記複数の固定装置で継続的および周期的に各移動物体の位置標定情報信号を受信するステップと、
第２の通信フォーマットに従って前記複数の固定装置から遠隔装置に前記複数の移動物体の位置標定情報信号を送信するステップと、
を含んでおり、当該第２の通信フォーマットは前記第１の通信フォーマットよりも高い電力で送信されることを特徴とする方法。
【請求項５】
各移動物体のＲＦＩＤタグからの位置標定情報信号は、受信された信号強度または計測された信号到達時を含んでいることを特徴とする請求項４記載の方法。
【請求項６】
各移動物体のＲＦＩＤタグからの位置標定情報信号は、複数の固定装置の少なくとも１つから前記遠隔装置に有線ネットワークで送信されることを特徴とする請求項４記載の方法。
【請求項７】
前記有線ネットワークは、前記複数の固定装置の少なくとも１つのプラグに取り付けられており、
当該有線ネットワークは、交流（ＡＣ）電力ネットワークであり、あるいは家庭用プラグ規格で作動することを特徴とする請求項６記載の方法。
【請求項８】
各移動物体のＲＦＩＤタグからの位置標定情報信号について、前記遠隔装置へ送信する前に少なくとも１つの固定装置のプロセッサで統計的分析を行うステップをさらに含んでいることを特徴とする請求項４記載の方法。
【請求項９】
前記統計的分析は、平均化、放射基底関数の利用、カルマンフィルタリングの利用、又はベイズのフィルタリングの利用を含むことを特徴とする請求項８記載の方法。
【請求項１０】
各移動物体の識別子を前記遠隔装置に送信するステップをさらに含んでいることを特徴とする請求項４記載の方法。
【請求項１１】
前記識別子は、各移動物体の知られた位置、またはＩＰアドレスに対応することを特徴とする請求項１０記載の方法。
【請求項１２】
施設内において屋内無線メッシュネットワークを利用して移動物体の追跡情報を送受信する方法であって、
継続的および周期的に各移動物体の位置標定情報信号を送信するステップを含んでおり、当該位置標定情報信号は、各移動物体に取り付けられたタグから送信されるものであり、当該タグは第１の通信フォーマットにて低電力で位置標定情報信号を送信するものであり、本方法はさらに、
屋内無線メッシュネットワークを形成するために前記施設内で複数の固定装置を複数のコンセントに取り付けるステップを含んでおり、各コンセントは受領器を含んでおり、各固定装置は、
収容体と、
該収容体内に収容されたプロセッサと、
複数の無線地域ネットワークインターフェースと、
を含んでおり、各無線地域ネットワークインターフェースは、前記プロセッサと通信状態にて前記収容体内に収容されており、通信フォーマットに従って物体追跡情報を送受信する少なくとも１つのレシーバを含んでおり、本各固定装置はさらに、
前記施設のコンセントの受領部と物理的および電気的に接続し、前記収容体から外側に延び出るプラグと、
前記プラグから第１の電力フォーマットにて電力を受信し、前記複数の無線地域ネットワークインターフェースの前記少なくとも１つのレシーバに第２の電力フォーマットにて電力を送信する電力コンバータと、
を含んでおり、本方法はさらに、
継続的および周期的に各移動物体の位置標定情報信号を前記第１の通信フォーマットにて前記複数の固定装置で受信し、各移動物体の位置標定情報データを発生させるステップを含んでおり、前記第１通信フォーマットは低電力８０２．１５．４規格の通信リンクであり、本方法はさらに、
前記屋内無線メッシュネットワークを介して前記複数の固定装置の少なくとも１つから各移動物体の前記位置標定情報データを第２の通信フォーマットに従って送信するステップを含んでおり、当該第２の通信フォーマットは８０２．１１規格の通信リンクであることを特徴とする方法。
【請求項１３】
データが前記屋内無線メッシュネットワークの第１近隣ノードから少なくとも１つの固定装置で受信され、その受信されたデータは当該屋内無線メッシュネットワークの第２近隣ノードに送信されることを特徴とする請求項１２記載の方法。
【請求項１４】
屋内施設用のシステムであって、
屋内施設内に確立された複数のメッシュノードを含むメッシュネットワークを含んでおり、各メッシュノードは無線リンクを介して少なくとも１つの他のメッシュノードと接続されており、各メッシュノードは、
収容体と、
該収容体内に収容されたプロセッサと、
前記収容体内に前記プロセッサと通信状態で収容されている少なくとも１つの無線地域ネットワークインターフェースと、
を含んでおり、当該無線地域ネットワークインターフェースは通信フォーマットに従ってデータを送受信する少なくとも１つのレシーバを含んでおり、各メッシュノードはさらに、
前記収容体から外側に延び出るプラグを含んでおり、当該プラグは前記メッシュノードが前記屋内施設内の固定位置に残るように、該メッシュノードを該屋内施設のコンセントと物理的および電気的に接続しており、本システムはさらに、
前記複数のメッシュノードの対応するものと有線通信状態にて取り付けられている少なくとも１つの装置と、
前記複数のメッシュノードの１つに接続されている位置標定エンジンと、
前記屋内施設内の複数の移動物体と、
を含んでおり、それぞれの移動物体は前記メッシュネットワークにより受信される位置標定追跡信号を継続的および周期的に発信するタグを含んでおり、
前記メッシュネットワークは、前記各タグからの各位置標定追跡信号を処理して各移動物体の位置標定情報を発生させ、前記位置標定エンジンに送信することを特徴とするシステム。
【請求項１５】
屋内施設内で複数の移動物体を追跡する方法であって、
位置標定エンジンおよび複数のプラグインネットワーク機器を含む屋内メッシュネットワークを確立するステップを含んでおり、当該メッシュネットワークは各プラグインネットワーク機器を前記屋内施設内の電気コンセントに取り付けることで確立され、各プラグインネットワーク機器は、
収容体と、
該収容体内に収容されたプロセッサと、
前記収容体内に前記プロセッサと通信状態にて設置された少なくとも１つの無線地域ネットワークインターフェースと、
を含んでおり、当該無線地域ネットワークインターフェースは、通信フォーマットに従ってデータを受信および送信する少なくとも１つのレシーバを含んでおり、各プラグインネットワーク機器はさらに、
前記収容体から外側に延び出るプラグを含んでおり、当該プラグは、前記メッシュノードが前記屋内施設内の固定位置に残るように該メッシュノードを該屋内施設のコンセントと物理的および電気的に接続しており、
本方法はさらに、
各移動物体の位置標定情報信号を継続的および周期的に送信するステップを含んでおり、当該位置標定情報信号は各移動物体に取り付けられたタグから発信されるものであり、当該タグは第１の通信フォーマットにて低電力で前記位置標定情報信号を発信し、
本方法はさらに、
各移動物体のために処理された信号を発生させるために、前記複数のプラグインネットワーク機器で各移動物体からの継続的および周期的な信号を受信し且つ処理するステップと、
前記処理された信号を前記メッシュネットワークに送信するステップと、
前記メッシュネットワークからの前記処理された信号を前記位置標定エンジンに送信するステップと、
を含んでいることを特徴とする方法。
【請求項１６】
コンセントと物理的および電気的に接続するプラグと、
前記プラグに固定されており、第１の通信フォーマットに従って第１無線リンクでデータを受信するレシーバと、
前記プラグに固定されており、第２の通信フォーマットに従って前記受信したデータを第２無線リンクで送信するトランスミッタと、
第１の電力フォーマットにて前記プラグから電力を受信し、前記トランスミッタおよび前記レシーバに第２の電力フォーマットにて電力を送信する電力コンバータと、
を備えた装置。
【請求項１７】
メッシュネットワークを形成すべく通信可能に結合された複数の装置を備えてなるシステムであって、
前記複数の装置の各々は、
コンセントと物理的および電気的に接続するプラグと、
前記プラグに固定されており、第１の通信フォーマットに従って第１無線リンクでデータを受信するレシーバと、
前記プラグに固定されており、第２の通信フォーマットに従って前記受信したデータを第２無線リンクで送信するトランスミッタと、
第１の電力フォーマットにて前記プラグから電力を受信し、前記トランスミッタおよび前記レシーバに第２の電力フォーマットにて電力を送信する電力コンバータと、
を含んでいることを特徴とするシステム。
【請求項１８】
コンセントと物理的および電気的に接続するプラグと、前記プラグに固定されたレシーバと、前記プラグに固定されたトランスミッタと、第１の電力フォーマットにて前記プラグから電力を受信すると共に前記トランスミッタ及び前記レシーバに第２の電力フォーマットにて電力を送信する電力コンバータとを備えた装置を、コンセントに取り付けるステップと、
位置標定情報を遠隔装置に送信するステップと、
を備えることを特徴とする方法。